(57)【要約】  ＡＭＯＬＥＤディスプレイパネルの駆動回路（２０）において、第１薄膜トランジスタ（Ｔ２１）、第２薄膜トランジスタ（Ｔ２２）、第３薄膜トランジスタＴ２３）、蓄電コンデンサ（Ｃ２１）、第４薄膜トランジスタ（Ｔ２４）、第５薄膜トランジスタ（Ｔ２５）及び有機発光ダイオード（Ｄ２１）を含む。ＡＭＯＬＥＤディスプレイパネルの駆動回路（２０）及びＡＭＯＬＥＤディスプレイパネルは、ＡＭＯＬＥＤディスプレイパネルの表示輝度均一性を向上させる。
2020526802.tif 000002
【特許請求の範囲】
【請求項１】
ＡＭＯＬＥＤディスプレイパネルの駆動回路であって、
第１薄膜トランジスタであって、前記第１薄膜トランジスタのソースが対応するデータ線に接続され、前記第１薄膜トランジスタのドレインが第１基準点に接続され、前記第１薄膜トランジスタのゲートに第１制御信号が入力される第１薄膜トランジスタと、
第２薄膜トランジスタであって、前記第２薄膜トランジスタのソースが前記第１基準点に接続され、前記第２薄膜トランジスタのゲートが蓄電コンデンサの一端に接続され、前記第２薄膜トランジスタのドレインが第２基準点に接続される第２薄膜トランジスタと、
第３薄膜トランジスタであって、前記第３薄膜トランジスタのソースが前記第２基準点に接続され、前記第３薄膜トランジスタのゲートに第３制御信号が入力され、前記第３薄膜トランジスタのドレインが前記蓄電コンデンサの一端に接続される第３薄膜トランジスタと、
蓄電コンデンサであって、前記蓄電コンデンサの他端が接地する蓄電コンデンサと、
第４薄膜トランジスタであって、前記第４薄膜トランジスタのソースが前記第２基準点に接続され、前記第４薄膜トランジスタのドレインが第２駆動電圧に接続され、前記第４薄膜トランジスタのゲートに第４制御信号が入力される第４薄膜トランジスタと、
第５薄膜トランジスタであって、前記第５薄膜トランジスタのドレインが前記第１基準点に接続され、前記第５薄膜トランジスタのソースが有機発光ダイオードの陰極に接続され、前記第５薄膜トランジスタのゲートに第５制御信号が入力される第５薄膜トランジスタと、
前記有機発光ダイオードであって、前記有機発光ダイオードの陽極が第１駆動電圧に接続される有機発光ダイオードと、を含み、
前記ＡＭＯＬＥＤディスプレイパネルの駆動回路の動作段階は電位初期化段階、電荷蓄電段階及び発光表示段階を含み、
前記ＡＭＯＬＥＤディスプレイパネルの駆動回路が電位初期化段階にある時、前記第１薄膜トランジスタ及び前記第５薄膜トランジスタがオフになり、前記第３薄膜トランジスタ及び前記第４薄膜トランジスタがオンになり、前記蓄電コンデンサが前記第３薄膜トランジスタ及び前記第４薄膜トランジスタによって放電し、前記有機発光ダイオードが発光せず、
前記ＡＭＯＬＥＤディスプレイパネルの駆動回路が電荷蓄電段階にある時、前記第４薄膜トランジスタ及び前記第５薄膜トランジスタがオフになり、前記第１薄膜トランジスタ及び前記第３薄膜トランジスタがオンになり、前記データ線が前記第１薄膜トランジスタ、前記第２薄膜トランジスタ及び前記第３薄膜トランジスタによって前記蓄電コンデンサを充電し、前記有機発光ダイオードが発光せず、
前記ＡＭＯＬＥＤディスプレイパネルの駆動回路が発光表示段階にある時、前記第１薄膜トランジスタ及び前記第３薄膜トランジスタがオフになり、前記第４薄膜トランジスタ及び前記第５薄膜トランジスタがオンになり、前記蓄電コンデンサが第１薄膜トランジスタによって前記有機発光ダイオードの発光輝度を制御する、ＡＭＯＬＥＤディスプレイパネルの駆動回路。
【請求項２】
充電後の蓄電コンデンサのコンデンサ電圧がＶｄａｔａ−Ｖｔｈであり、
Ｖｄａｔａは前記データ線のデータ信号電圧であり、Ｖｔｈは前記第２薄膜トランジスタの閾値電圧である、請求項１に記載のＡＭＯＬＥＤディスプレイパネルの駆動回路。
【請求項３】
ＡＭＯＬＥＤディスプレイパネルの駆動回路であって、
第１薄膜トランジスタであって、前記第１薄膜トランジスタのソースが対応するデータ線に接続され、前記第１薄膜トランジスタのドレインが第１基準点に接続され、前記第１薄膜トランジスタのゲートに第１制御信号が入力される第１薄膜トランジスタと、
第２薄膜トランジスタであって、前記第２薄膜トランジスタのソースが前記第１基準点に接続され、前記第２薄膜トランジスタのゲートが蓄電コンデンサの一端に接続され、前記第２薄膜トランジスタのドレインが第２基準点に接続される第２薄膜トランジスタと、
第３薄膜トランジスタであって、前記第３薄膜トランジスタのソースが前記第２基準点に接続され、前記第３薄膜トランジスタのゲートに第３制御信号が入力され、前記第３薄膜トランジスタのドレインが前記蓄電コンデンサの一端に接続される第３薄膜トランジスタと、
蓄電コンデンサであって、前記蓄電コンデンサの他端が接地する蓄電コンデンサと、
第４薄膜トランジスタであって、前記第４薄膜トランジスタのソースが前記第２基準点に接続され、前記第４薄膜トランジスタのドレインが第２駆動電圧に接続され、前記第４薄膜トランジスタのゲートに第４制御信号が入力される第４薄膜トランジスタと、
第５薄膜トランジスタであって、前記第５薄膜トランジスタのドレインが前記第１基準点に接続され、前記第５薄膜トランジスタのソースが有機発光ダイオードの陰極に接続され、前記第５薄膜トランジスタのゲートに第５制御信号が入力される第５薄膜トランジスタと、
有機発光ダイオードであって、前記有機発光ダイオードの陽極が第１駆動電圧に接続される有機発光ダイオードと、を含むＡＭＯＬＥＤディスプレイパネルの駆動回路。
【請求項４】
前記ＡＭＯＬＥＤディスプレイパネルの駆動回路の動作段階は電位初期化段階、電荷蓄電段階及び発光表示段階を含む、請求項３に記載のＡＭＯＬＥＤディスプレイパネルの駆動回路。
【請求項５】
前記ＡＭＯＬＥＤディスプレイパネルの駆動回路が電位初期化段階にある時、前記第１薄膜トランジスタ及び前記第５薄膜トランジスタがオフになり、前記第３薄膜トランジスタ及び前記第４薄膜トランジスタがオンになり、前記蓄電コンデンサが前記第３薄膜トランジスタ及び前記第４薄膜トランジスタによって放電し、前記有機発光ダイオードが発光しない、請求項４に記載のＡＭＯＬＥＤディスプレイパネルの駆動回路。
【請求項６】
前記ＡＭＯＬＥＤディスプレイパネルの駆動回路が電荷蓄電段階にある時、前記第４薄膜トランジスタ及び前記第５薄膜トランジスタがオフになり、前記第１薄膜トランジスタ及び前記第３薄膜トランジスタがオンになり、前記データ線が前記第１薄膜トランジスタ、前記第２薄膜トランジスタ及び前記第３薄膜トランジスタによって前記蓄電コンデンサを充電し、前記有機発光ダイオードが発光しない、請求項４に記載のＡＭＯＬＥＤディスプレイパネルの駆動回路。
【請求項７】
充電後の蓄電コンデンサのコンデンサ電圧がＶｄａｔａ−Ｖｔｈであり、
Ｖｄａｔａは前記データ線のデータ信号電圧であり、Ｖｔｈは前記第２薄膜トランジスタの閾値電圧である、請求項６に記載のＡＭＯＬＥＤディスプレイパネルの駆動回路。
【請求項８】
前記ＡＭＯＬＥＤディスプレイパネルの駆動回路が発光表示段階にある時、前記第１薄膜トランジスタ及び前記第３薄膜トランジスタがオフになり、前記第４薄膜トランジスタ及び前記第５薄膜トランジスタがオンになり、前記蓄電コンデンサが第１薄膜トランジスタによって前記有機発光ダイオードの発光輝度を制御する、請求項４に記載のＡＭＯＬＥＤディスプレイパネルの駆動回路。
【請求項９】
複数の画素ユニット及び前記画素ユニットを駆動するためのＡＭＯＬＥＤディスプレイパネルの駆動回路を含むＡＭＯＬＥＤディスプレイパネルであって、
前記ＡＭＯＬＥＤディスプレイパネルの駆動回路は、
第１薄膜トランジスタであって、前記第１薄膜トランジスタのソースが対応するデータ線に接続され、前記第１薄膜トランジスタのドレインが第１基準点に接続され、前記第１薄膜トランジスタのゲートに第１制御信号が入力される第１薄膜トランジスタと、
第２薄膜トランジスタであって、前記第２薄膜トランジスタのソースが前記第１基準点に接続され、前記第２薄膜トランジスタのゲートが蓄電コンデンサの一端に接続され、前記第２薄膜トランジスタのドレインが第２基準点に接続される第２薄膜トランジスタと、
第３薄膜トランジスタであって、前記第３薄膜トランジスタのソースが前記第２基準点に接続され、前記第３薄膜トランジスタのゲートに第３制御信号が入力され、前記第３薄膜トランジスタのドレインが前記蓄電コンデンサの一端に接続される第３薄膜トランジスタと、
蓄電コンデンサであって、前記蓄電コンデンサの他端が接地する蓄電コンデンサと、
第４薄膜トランジスタであって、前記第４薄膜トランジスタのソースが前記第２基準点に接続され、前記第４薄膜トランジスタのドレインが第２駆動電圧に接続され、前記第４薄膜トランジスタのゲートに第４制御信号が入力される第４薄膜トランジスタと、
第５薄膜トランジスタであって、前記第５薄膜トランジスタのドレインが前記第１基準点に接続され、前記第５薄膜トランジスタのソースが有機発光ダイオードの陰極に接続され、前記第５薄膜トランジスタのゲートに第５制御信号が入力される第５薄膜トランジスタと、
有機発光ダイオードであって、前記有機発光ダイオードの陽極が第１駆動電圧に接続される有機発光ダイオードと、を含む、ＡＭＯＬＥＤディスプレイパネル。
【請求項１０】
前記ＡＭＯＬＥＤディスプレイパネルの駆動回路の動作段階は電位初期化段階、電荷蓄電段階及び発光表示段階を含む、請求項９に記載のＡＭＯＬＥＤディスプレイパネル。
【請求項１１】
前記ＡＭＯＬＥＤディスプレイパネルの駆動回路が電位初期化段階にある時、前記第１薄膜トランジスタ及び前記第５薄膜トランジスタがオフになり、前記第３薄膜トランジスタ及び前記第４薄膜トランジスタがオンになり、前記蓄電コンデンサが前記第３薄膜トランジスタ及び前記第４薄膜トランジスタによって放電し、前記有機発光ダイオードが発光しない、請求項１０に記載のＡＭＯＬＥＤディスプレイパネル。
【請求項１２】
前記ＡＭＯＬＥＤディスプレイパネルの駆動回路が電荷蓄電段階にある時、前記第４薄膜トランジスタ及び前記第５薄膜トランジスタがオフになり、前記第１薄膜トランジスタ及び前記第３薄膜トランジスタがオンになり、前記データ線が前記第１薄膜トランジスタ、前記第２薄膜トランジスタ及び前記第３薄膜トランジスタによって前記蓄電コンデンサを充電し、前記有機発光ダイオードが発光しない、請求項１０に記載のＡＭＯＬＥＤディスプレイパネル。
【請求項１３】
充電後の蓄電コンデンサのコンデンサ電圧がＶｄａｔａ−Ｖｔｈであり、
Ｖｄａｔａは前記データ線のデータ信号電圧であり、Ｖｔｈは前記第２薄膜トランジスタの閾値電圧である請求項１２に記載のＡＭＯＬＥＤディスプレイパネル。
【請求項１４】
前記ＡＭＯＬＥＤディスプレイパネルの駆動回路が発光表示段階にある時、前記第１薄膜トランジスタ及び前記第３薄膜トランジスタがオフになり、前記第４薄膜トランジスタ及び前記第５薄膜トランジスタがオンになり、前記蓄電コンデンサが第１薄膜トランジスタによって前記有機発光ダイオードの発光輝度を制御する、請求項１０に記載のＡＭＯＬＥＤディスプレイパネル。
【発明の詳細な説明】
【技術分野】
【０００１】
本願は表示技術分野に関し、特にＡＭＯＬＥＤディスプレイパネルの駆動回路及びＡＭＯＬＥＤディスプレイパネルに関する。
【背景技術】
【０００２】
図１を参照すると、図１は従来のＡＭＯＬＥＤディスプレイパネルの画素駆動回路の構造模式図である。該画素駆動回路は第１薄膜トランジスタＴ１１、第２薄膜トランジスタＴ１２、蓄電コンデンサＣ１１、及び有機発光ダイオードＤ１１を含む。
【０００３】
ここで、第１薄膜トランジスタＴ１１はゲートに走査信号ＳＣＡＮがアクセスし、ソースにデータ信号ＤＡＴＡがアクセスし、ドレインが蓄電コンデンサＣ１１の一端に電気的に接続される。第２薄膜トランジスタＴ１２はゲートが蓄電コンデンサＣ１１の一端に電気的に接続され、ソースが駆動電圧Ｏｖｄｄに電気的に接続され、ドレインが有機発光ダイオードＤ１１の陽極に電気的に接続される。蓄電コンデンサＣ１１の一端が第２薄膜トランジスタＴ１２のソースに電気的に接続され、有機発光ダイオードＤ１１の陰極が駆動電圧Ｏｖｓｓに電気的に接続される。このようにデータ信号ＤＡＴＡによって有機発光ダイオードＤ１１の発光輝度を制御できる。
【０００４】
ＡＭＯＬＥＤディスプレイパネルの製造プロセスの不安定性等の理由によって、各画素ユニットの第２薄膜トランジスタＴ１２の閾値電圧に差異が生じることがある。従って、同一のデータ信号を第２薄膜トランジスタＴ１２上に印加する場合でも、有機発光ダイオードＤ１１の発光輝度が一致しない場合がある。
【０００５】
従って、従来技術に存在する課題を解決するＡＭＯＬＥＤディスプレイパネルの駆動回路及びＡＭＯＬＥＤディスプレイパネルを提供する必要がある。
【発明の概要】
【発明が解決しようとする課題】
【０００６】
本願の目的は、ＡＭＯＬＥＤパネルの表示輝度均一性を向上させ得るＡＭＯＬＥＤディスプレイパネルの駆動回路及びＡＭＯＬＥＤディスプレイパネルを提供することであり、それにより従来のＡＭＯＬＥＤディスプレイパネルでは薄膜トランジスタの閾値電圧が一致しないことにより、ＡＭＯＬＥＤディスプレイパネルの表示輝度均一性が比較的低いことを引き起こすという技術的課題を解決する。
【課題を解決するための手段】
【０００７】
本願の実施例はＡＭＯＬＥＤディスプレイパネルの駆動回路を提供し、ＡＭＯＬＥＤディスプレイパネルの駆動回路は  第１薄膜トランジスタであって、前記第１薄膜トランジスタのソースが対応するデータ線に接続され、前記第１薄膜トランジスタのドレインが第１基準点に接続され、前記第１薄膜トランジスタのゲートに第１制御信号が入力される第１薄膜トランジスタと、第２薄膜トランジスタであって、前記第２薄膜トランジスタのソースが前記第１基準点に接続され、前記第２薄膜トランジスタのゲートが蓄電コンデンサの一端に接続され、前記第２薄膜トランジスタのドレインが第２基準点に接続される第２薄膜トランジスタと、第３薄膜トランジスタであって、前記第３薄膜トランジスタのソースが前記第２基準点に接続され、前記第３薄膜トランジスタのゲートに第３制御信号が入力され、前記第３薄膜トランジスタのドレインが前記蓄電コンデンサの一端に接続される第３薄膜トランジスタと、蓄電コンデンサであって、前記蓄電コンデンサの他端が接地する蓄電コンデンサと、第４薄膜トランジスタであって、前記第４薄膜トランジスタのソースが前記第２基準点に接続され、前記第４薄膜トランジスタのドレインが第２駆動電圧に接続され、前記第４薄膜トランジスタのゲートに第４制御信号が入力される第４薄膜トランジスタと、第５薄膜トランジスタであって、前記第５薄膜トランジスタのドレインが前記第１基準点に接続され、前記第５薄膜トランジスタのソースが有機発光ダイオードの陰極に接続され、前記第５薄膜トランジスタのゲートに第５制御信号が入力される第５薄膜トランジスタと、有機発光ダイオードであって、前記有機発光ダイオードの陽極が第１駆動電圧に接続される有機発光ダイオードと、を含み、前記ＡＭＯＬＥＤディスプレイパネルの駆動回路の動作段階は電位初期化段階、電荷蓄電段階及び発光表示段階を含み、前記ＡＭＯＬＥＤディスプレイパネルの駆動回路が電位初期化段階にある時、前記第１薄膜トランジスタ及び前記第５薄膜トランジスタがオフになり、前記第３薄膜トランジスタ及び前記第４薄膜トランジスタがオンになり、前記蓄電コンデンサが前記第３薄膜トランジスタ及び前記第４薄膜トランジスタによって放電し、前記有機発光ダイオードが発光せず、前記ＡＭＯＬＥＤディスプレイパネルの駆動回路が電荷蓄電段階にある時、前記第４薄膜トランジスタ及び前記第５薄膜トランジスタがオフになり、前記第１薄膜トランジスタ及び前記第３薄膜トランジスタがオンになり、前記データ線が前記第１薄膜トランジスタ、前記第２薄膜トランジスタ及び前記第３薄膜トランジスタによって前記蓄電コンデンサを充電し、前記有機発光ダイオードが発光せず、前記ＡＭＯＬＥＤディスプレイパネルの駆動回路が発光表示段階にある時、前記第１薄膜トランジスタ及び前記第３薄膜トランジスタがオフになり、前記第４薄膜トランジスタ及び前記第５薄膜トランジスタがオンになり、前記蓄電コンデンサが第１薄膜トランジスタによって前記有機発光ダイオードの発光輝度を制御する。
【０００８】
本願に記載のＡＭＯＬＥＤディスプレイパネルの駆動回路において、充電後の蓄電コンデンサのコンデンサ電圧がＶｄａｔａ−Ｖｔｈであり、Ｖｄａｔａは前記データ線のデータ信号電圧であり、Ｖｔｈは前記第２薄膜トランジスタの閾値電圧である。
【０００９】
本願の実施例はさらにＡＭＯＬＥＤディスプレイパネルの駆動回路を提供し、第１薄膜トランジスタであって、前記第１薄膜トランジスタのソースが対応するデータ線に接続され、前記第１薄膜トランジスタのドレインが第１基準点に接続され、前記第１薄膜トランジスタのゲートに第１制御信号が入力される第１薄膜トランジスタと、第２薄膜トランジスタであって、前記第２薄膜トランジスタのソースが前記第１基準点に接続され、前記第２薄膜トランジスタのゲートが蓄電コンデンサの一端に接続され、前記第２薄膜トランジスタのドレインが第２基準点に接続される第２薄膜トランジスタと、第３薄膜トランジスタであって、前記第３薄膜トランジスタのソースが前記第２基準点に接続され、前記第３薄膜トランジスタのゲートに第３制御信号が入力され、前記第３薄膜トランジスタのドレインが前記蓄電コンデンサの一端に接続される第３薄膜トランジスタと、蓄電コンデンサであって、前記蓄電コンデンサの他端が接地する蓄電コンデンサと、第４薄膜トランジスタであって、前記第４薄膜トランジスタのソースが前記第２基準点に接続され、前記第４薄膜トランジスタのドレインが第２駆動電圧に接続され、前記第４薄膜トランジスタのゲートに第４制御信号が入力される第４薄膜トランジスタと、第５薄膜トランジスタであって、前記第５薄膜トランジスタのドレインが前記第１基準点に接続され、前記第５薄膜トランジスタのソースが有機発光ダイオードの陰極に接続され、前記第５薄膜トランジスタのゲートに第５制御信号が入力される第５薄膜トランジスタと、有機発光ダイオードであって、前記有機発光ダイオードの陽極が第１駆動電圧に接続される有機発光ダイオードと、を含む。
【００１０】
本願に記載のＡＭＯＬＥＤディスプレイパネルの駆動回路において、前記ＡＭＯＬＥＤディスプレイパネルの駆動回路の動作段階は電位初期化段階、電荷蓄電段階及び発光表示段階を含む。
【００１１】
本願に記載のＡＭＯＬＥＤディスプレイパネルの駆動回路において、前記ＡＭＯＬＥＤディスプレイパネルの駆動回路が電位初期化段階にある時、前記第１薄膜トランジスタ及び前記第５薄膜トランジスタがオフになり、前記第３薄膜トランジスタ及び前記第４薄膜トランジスタがオンになり、前記蓄電コンデンサが前記第３薄膜トランジスタ及び前記第４薄膜トランジスタによって放電し、前記有機発光ダイオードが発光しない。
【００１２】
本願に記載のＡＭＯＬＥＤディスプレイパネルの駆動回路において、前記ＡＭＯＬＥＤディスプレイパネルの駆動回路が電荷蓄電段階にある時、前記第４薄膜トランジスタ及び前記第５薄膜トランジスタがオフになり、前記第１薄膜トランジスタ及び前記第３薄膜トランジスタがオンになり、前記データ線が前記第１薄膜トランジスタ、前記第２薄膜トランジスタ及び前記第３薄膜トランジスタによって前記蓄電コンデンサを充電し、前記有機発光ダイオードが発光しない。
【００１３】
本願に記載のＡＭＯＬＥＤディスプレイパネルの駆動回路において、充電後の蓄電コンデンサのコンデンサ電圧がＶｄａｔａ−Ｖｔｈであり、Ｖｄａｔａは前記データ線のデータ信号電圧であり、Ｖｔｈは前記第２薄膜トランジスタの閾値電圧である。
【００１４】
本願に記載のＡＭＯＬＥＤディスプレイパネルの駆動回路において、前記ＡＭＯＬＥＤディスプレイパネルの駆動回路が発光表示段階にある時、前記第１薄膜トランジスタ及び前記第３薄膜トランジスタがオフになり、前記第４薄膜トランジスタ及び前記第５薄膜トランジスタがオンになり、前記蓄電コンデンサが第１薄膜トランジスタによって前記有機発光ダイオードの発光輝度を制御する。
【００１５】
本願の実施例はさらにＡＭＯＬＥＤディスプレイパネルを提供し、それは複数の画素ユニット及び前記画素ユニットを駆動するためのＡＭＯＬＥＤディスプレイパネルの駆動回路を含み、ここで、前記ＡＭＯＬＥＤディスプレイパネルの駆動回路は、第１薄膜トランジスタであって、前記第１薄膜トランジスタのソースが対応するデータ線に接続され、前記第１薄膜トランジスタのドレインが第１基準点に接続され、前記第１薄膜トランジスタのゲートに第１制御信号が入力される第１薄膜トランジスタと、第２薄膜トランジスタであって、前記第２薄膜トランジスタのソースが前記第１基準点に接続され、前記第２薄膜トランジスタのゲートが蓄電コンデンサの一端に接続され、前記第２薄膜トランジスタのドレインが第２基準点に接続される第２薄膜トランジスタと、第３薄膜トランジスタであって、前記第３薄膜トランジスタのソースが前記第２基準点に接続され、前記第３薄膜トランジスタのゲートに第３制御信号が入力され、前記第３薄膜トランジスタのドレインが前記蓄電コンデンサの一端に接続される第３薄膜トランジスタと、蓄電コンデンサであって、前記蓄電コンデンサの他端が接地する蓄電コンデンサと、第４薄膜トランジスタであって、前記第４薄膜トランジスタのソースが前記第２基準点に接続され、前記第４薄膜トランジスタのドレインが第２駆動電圧に接続され、前記第４薄膜トランジスタのゲートに第４制御信号が入力される第４薄膜トランジスタと、第５薄膜トランジスタであって、前記第５薄膜トランジスタのドレインが前記第１基準点に接続され、前記第５薄膜トランジスタのソースが有機発光ダイオードの陰極に接続され、前記第５薄膜トランジスタのゲートに第５制御信号が入力される第５薄膜トランジスタと、有機発光ダイオードであって、前記有機発光ダイオードの陽極が第１駆動電圧に接続される有機発光ダイオードと、を含む。
【００１６】
本願に記載のＡＭＯＬＥＤディスプレイパネルでは、前記ＡＭＯＬＥＤディスプレイパネルの駆動回路の動作段階は電位初期化段階、電荷蓄電段階及び発光表示段階を含む。
【００１７】
本願に記載のＡＭＯＬＥＤディスプレイパネルでは、前記ＡＭＯＬＥＤディスプレイパネルの駆動回路が電位初期化段階にある時、前記第１薄膜トランジスタ及び前記第５薄膜トランジスタがオフになり、前記第３薄膜トランジスタ及び前記第４薄膜トランジスタがオンになり、前記蓄電コンデンサが前記第３薄膜トランジスタ及び前記第４薄膜トランジスタによって放電し、前記有機発光ダイオードが発光しない。
【００１８】
本願に記載のＡＭＯＬＥＤディスプレイパネルでは、前記ＡＭＯＬＥＤディスプレイパネルの駆動回路が電荷蓄電段階にある時、前記第４薄膜トランジスタ及び前記第５薄膜トランジスタがオフになり、前記第１薄膜トランジスタ及び前記第３薄膜トランジスタがオンになり、前記データ線が前記第１薄膜トランジスタ、前記第２薄膜トランジスタ及び前記第３薄膜トランジスタによって前記蓄電コンデンサを充電し、前記有機発光ダイオードが発光しない。
【００１９】
本願に記載のＡＭＯＬＥＤディスプレイパネルでは、前記ＡＭＯＬＥＤディスプレイパネルの駆動回路が発光表示段階にある時、前記第１薄膜トランジスタ及び前記第３薄膜トランジスタがオフになり、前記第４薄膜トランジスタ及び前記第５薄膜トランジスタがオンになり、前記蓄電コンデンサが第１薄膜トランジスタによって前記有機発光ダイオードの発光輝度を制御する。
【００２０】
本願に記載のＡＭＯＬＥＤディスプレイパネルでは、充電後の蓄電コンデンサのコンデンサ電圧がＶｄａｔａ−Ｖｔｈであり、Ｖｄａｔａは前記データ線のデータ信号電圧であり、Ｖｔｈは前記第２薄膜トランジスタの閾値電圧である。
【発明の効果】
【００２１】
本願のＡＭＯＬＥＤディスプレイパネルの駆動回路及びＡＭＯＬＥＤディスプレイパネルは５つの薄膜トランジスタ及び１つの蓄電コンデンサが設置されることで、薄膜トランジスタの閾値電圧による有機発光ダイオードの発光輝度への影響を回避し、それによりＡＭＯＬＥＤディスプレイパネルの表示輝度均一性を向上させ、従来のＡＭＯＬＥＤディスプレイパネルでは薄膜トランジスタの閾値電圧が一致しないことにより、ＡＭＯＬＥＤディスプレイパネルの表示輝度均一性が比較的低いことを引き起こすという技術的課題を解決する。
【００２２】
本願の実施例における技術的手段をさらに明確に説明するために、以下、実施例の説明に必要な図面を簡単に説明する。明らかなように、以下の説明における図面は単に本願のいくつかの実施例に過ぎず、当業者にとっては、創造的な努力をしない前提下でこれらの図面に基づきほかの図面も取得し得る。
【図面の簡単な説明】
【００２３】
【図１】図１は従来のＡＭＯＬＥＤディスプレイパネルの画素駆動回路の構造模式図である。
【図２】図２は本願のＡＭＯＬＥＤディスプレイパネルの駆動回路の好適実施例の構造模式図である。
【図３】図３は本願のＡＭＯＬＥＤディスプレイパネルの駆動回路の好適実施例の駆動波形図である。
【発明を実施するための形態】
【００２４】
以下、本願の実施例における図面と組み合わせて、本願の実施例における技術的手段を明確かつ完全に説明し、明らかなように、説明される実施例は単に本願の一部の実施例に過ぎず、すべての実施例ではない。本願の実施例に基づき、当業者が創造的な努力をしない前提下で取得するすべてのほかの実施例は、いずれも本願の保護範囲に属する。
【００２５】
図２を参照すると、図２は本願のＡＭＯＬＥＤディスプレイパネルの駆動回路の好適実施例の構造模式図である。本好適実施例のＡＭＯＬＥＤディスプレイパネルの駆動回路２０は第１薄膜トランジスタＴ２１、第２薄膜トランジスタＴ２２、第３薄膜トランジスタＴ２３、蓄電コンデンサＣ２１、第４薄膜トランジスタＴ２４、第５薄膜トランジスタＴ２５及び有機発光ダイオードＤ２１を含む。
【００２６】
第１薄膜トランジスタＴ２１のソースが対応するデータ線に接続され、第１薄膜トランジスタＴ２１のドレインが第１基準点Ａに接続され、第１薄膜トランジスタＴ２１のゲートに第１制御信号ＳＣＡＮ１が入力される。第２薄膜トランジスタＴ２２のソースが第１基準点Ａに接続され、第２薄膜トランジスタＴ２２のゲートが蓄電コンデンサＣ２１の一端に接続され、第２薄膜トランジスタＴ２２のドレインが第２基準点Ｂに接続される。第３薄膜トランジスタＴ２３のソースが第２基準点Ｂに接続され、第３薄膜トランジスタＴ２３のゲートに第３制御信号ＳＣＡＮ３が入力され、第３薄膜トランジスタＴ２３のドレインが蓄電コンデンサＣ２１の一端に接続される。蓄電コンデンサＣ２１の他端が接地する。第４薄膜トランジスタＴ２４のソースが第２基準点Ｂに接続され、第４薄膜トランジスタＴ２４のドレインが第２駆動電圧ＯＶＳＳに接続され、第４薄膜トランジスタＴ２４のゲートに第４制御信号ＳＣＡＮ４が入力される。第５薄膜トランジスタＴ２５のドレインが第１基準点Ａに接続され、第５薄膜トランジスタＴ２５のソースが有機発光ダイオードＤ２１の陰極に接続され、第５薄膜トランジスタＴ２５のゲートに第５制御信号ＳＣＡＮ５が入力される。有機発光ダイオードＤ２１の陽極が第１駆動電圧ＯＶＤＤに接続される。
【００２７】
本好適実施例のＡＭＯＬＥＤディスプレイパネルの駆動回路の動作段階は電位初期化段階、電荷蓄電段階及び発光表示段階を含む。
【００２８】
以下、図２及び図３によって本願のＡＭＯＬＥＤディスプレイパネルの駆動回路の具体的な動作原理を詳細に説明する。
【００２９】
ＡＭＯＬＥＤディスプレイパネルのある画素ユニットが画面表示を行う必要がある場合、該画素ユニットに対応する駆動回路２０がまず電位初期化段階にあり、この時、第１制御信号ＳＣＡＮ１が高レベル信号であり、第３制御信号ＳＣＡＮ３が低レベル信号であり、第４制御信号ＳＣＡＮ４が低レベル信号であり、第５制御信号ＳＣＡＮ５が高レベル信号である。このように第１薄膜トランジスタＴ２１及び第５薄膜トランジスタＴ２５がオフ状態にあり、第３薄膜トランジスタＴ２３及び第４薄膜トランジスタＴ２４がオン状態にあり、蓄電コンデンサＣ２１が第３薄膜トランジスタＴ２３及び第４薄膜トランジスタＴ２４によって放電し、蓄電コンデンサＣ２１の一端の電圧をＯＶＳＳにし、蓄電コンデンサＣ２１の他端の電圧をＧＮＤにする。すなわち、蓄電コンデンサＣ２１の両端がいずれも接地電圧であり、それにより蓄電コンデンサＣ２１の初期化を完了する。この時、有機発光ダイオードＤ２１が発光しない。
【００３０】
その後、画素ユニットに対応する駆動回路２０が電荷蓄電段階になり、この時、第１制御信号ＳＣＡＮ１が低レベル信号であり、第３制御信号ＳＣＡＮ３が低レベル信号であり、第４制御信号ＳＣＡＮ４が高レベル信号であり、第５制御信号ＳＣＡＮ５が高レベル信号である。このように第４薄膜トランジスタＴ２４及び第５薄膜トランジスタＴ２５がオフ状態にあり、第１薄膜トランジスタＴ２１及び第３薄膜トランジスタＴ２３がオン状態にあり、データ線が第１薄膜トランジスタＴ２１、第２薄膜トランジスタＴ２２及び第３薄膜トランジスタＴ２３によって蓄電コンデンサＣ２１を充電し、この時、第２薄膜トランジスタＴ２２のソース電圧がＶｄａｔａであり、第２薄膜トランジスタＴ２２がオフになった時、第２薄膜トランジスタＴ２２のゲート電圧がＶｄａｔａ−Ｖｔｈである。ここで、Ｖｔｈは第２薄膜トランジスタＴ２２の閾値電圧であり、すなわち、充電後の蓄電コンデンサＣ２１のコンデンサ電圧はＶｄａｔａ−Ｖｔｈである。このように、データ線による蓄電コンデンサＣ２１の充電操作を完了する。この時、有機発光ダイオードＤ２１が発光しない。
【００３１】
最終的に、画素ユニットに対応する駆動回路２０が発光表示段階になり、この時、第１制御信号ＳＣＡＮ１が高レベル信号であり、第３制御信号ＳＣＡＮ３が高レベル信号であり、第４制御信号ＳＣＡＮ４が低レベル信号であり、第５制御信号ＳＣＡＮ５が低レベル信号である。このように第１薄膜トランジスタＴ２１及び第３薄膜トランジスタＴ２３がオフ状態にあり、第４薄膜トランジスタＴ２４及び第５薄膜トランジスタＴ２５がオン状態にある。
【００３２】
この時、第１基準点Ａの電位はＶｓ＝ＯＶＤＤ−Ｖｏｌｅｄであり、ここで、Ｖｏｌｅｄは有機発光ダイオードＤ２１のオン電圧である。第２薄膜トランジスタＴ２２のソースとゲートとの間の圧力差はＶｓｇ＝Ｖｓ−Ｖｇ＝ＯＶＤＤ−Ｖｏｌｅｄ−（Ｖｄａｔａ−Ｖｔｈ）＝ＯＶＤＤ−Ｖｏｌｅｄ−Ｖｄａｔａ＋Ｖｔｈであり、ここで、Ｖｓは第２薄膜トランジスタＴ２２のソース電圧であり、Ｖｇは第２薄膜トランジスタＴ２２のゲート電圧である。
【００３３】
トランジスタＩＶの曲線方程式に基づき、第２薄膜トランジスタＴ２２の駆動電流はＩ＝ｋ（Ｖｓｇ−Ｖｔｈ）２＝ｋ（ＯＶＤＤ−Ｖｏｌｅｄ−Ｖｄａｔａ）２であり、ここでｋは定数である。該駆動電流が第２薄膜トランジスタＴ２２の閾値電圧とは無関係であるため、第２薄膜トランジスタＴ２２の閾値電圧による第２薄膜トランジスタＴ２２の駆動電流への影響を比較的良く解消でき、それにより有機発光ダイオードＤ２１の発光輝度が一致しないような状況を回避し、ＡＭＯＬＥＤパネルの表示輝度の均一性を向上させている。
【００３４】
このように、本好適実施例のＡＭＯＬＥＤディスプレイパネルの駆動回路の画素ユニットの駆動過程を完了する。
【００３５】
本願はさらにＡＭＯＬＥＤディスプレイパネルを提供し、それは複数の画素ユニット及び画素ユニットを駆動するためのＡＭＯＬＥＤディスプレイパネルの駆動回路を含む。
【００３６】
好適には、該ＡＭＯＬＥＤディスプレイパネルの駆動回路は第１薄膜トランジスタ、第２薄膜トランジスタ、第３薄膜トランジスタ、蓄電コンデンサ、第４薄膜トランジスタ、第５薄膜トランジスタ及び有機発光ダイオードを含む。
【００３７】
第１薄膜トランジスタのソースが対応するデータ線に接続され、第１薄膜トランジスタのドレインが第１基準点に接続され、第１薄膜トランジスタのゲートに第１制御信号が入力される。第２薄膜トランジスタのソースが第１基準点に接続され、第２薄膜トランジスタのゲートが蓄電コンデンサの一端に接続され、第２薄膜トランジスタのドレインが第２基準点に接続される。第３薄膜トランジスタのソースが第２基準点に接続され、第３薄膜トランジスタのゲートに第３制御信号が入力され、第３薄膜トランジスタのドレインが蓄電コンデンサの一端に接続される。蓄電コンデンサの他端が接地する。第４薄膜トランジスタのソースが第２基準点に接続され、第４薄膜トランジスタのドレインが第２駆動電圧に接続され、第４薄膜トランジスタのゲートに第４制御信号が入力される。第５薄膜トランジスタのドレインが第１基準点に接続され、第５薄膜トランジスタのソースが有機発光ダイオードの陰極に接続され、第５薄膜トランジスタのゲートに第５制御信号が入力される。有機発光ダイオードの陽極が第１駆動電圧に接続される。
【００３８】
好適には、該ＡＭＯＬＥＤディスプレイパネルの駆動回路の動作段階は電位初期化段階、電荷蓄電段階及び発光表示段階を含む。
【００３９】
好適には、ＡＭＯＬＥＤディスプレイパネルの駆動回路が電位初期化段階にある時、第１薄膜トランジスタ及び第５薄膜トランジスタがオフになり、第３薄膜トランジスタ及び第４薄膜トランジスタがオンになり、蓄電コンデンサが第３薄膜トランジスタ及び第４薄膜トランジスタによって放電し、有機発光ダイオードが発光せず、ＡＭＯＬＥＤディスプレイパネルの駆動回路が電荷蓄電段階にある時、第４薄膜トランジスタ及び第５薄膜トランジスタがオフになり、第１薄膜トランジスタ及び第３薄膜トランジスタがオンになり、データ線が第１薄膜トランジスタ、第２薄膜トランジスタ及び第３薄膜トランジスタによって蓄電コンデンサを充電し、有機発光ダイオードが発光せず、ＡＭＯＬＥＤディスプレイパネルの駆動回路が発光表示段階にある時、第１薄膜トランジスタ及び第３薄膜トランジスタがオフになり、第４薄膜トランジスタ及び第５薄膜トランジスタがオンになり、蓄電コンデンサが第１薄膜トランジスタによって有機発光ダイオードの発光輝度を制御する。
【００４０】
好適には、充電後の蓄電コンデンサのコンデンサ電圧がＶｄａｔａ−Ｖｔｈであり、ここで、Ｖｄａｔａはデータ線のデータ信号電圧であり、Ｖｔｈは第２薄膜トランジスタの閾値電圧である。
【００４１】
本願のＡＭＯＬＥＤディスプレイパネルの駆動回路及びＡＭＯＬＥＤディスプレイパネルは５つの薄膜トランジスタ及び１つの蓄電コンデンサが設置されることで、薄膜トランジスタの閾値電圧による有機発光ダイオードの発光輝度への影響を回避し、それによりＡＭＯＬＥＤディスプレイパネルの表示輝度均一性を向上させ、従来のＡＭＯＬＥＤディスプレイパネルでは薄膜トランジスタの閾値電圧が一致しないことにより、ＡＭＯＬＥＤディスプレイパネルの表示輝度均一性が比較的低いことを引き起こすという技術的課題を解決する。
【００４２】
前記のとおり、好適実施例を参照して以上のように本願を開示したが、上記好適実施例は本願を制限するためのものではなく、当業者であれば、本願の精神及び範囲から逸脱せずに種々の変更や修飾を行うことができ、従って、本願の保護範囲は特許請求の範囲に定められた範囲に準じる。
【符号の説明】
【００４３】
２０  駆動回路
【図１】
2020526802.tif 000003
【図２】
2020526802.tif 000004
【図３】
2020526802.tif 000005
【国際調査報告】
2020526802.tif 000006
2020526802.tif 000007
2020526802.tif 000008
2020526802.tif 000009